(57)【要約】【課題】料金を安くて郵便物を届けられるようにし、また、郵便物の配送時間を短縮することのできる郵便物配送システムを提供することを目的とする。【解決手段】振り分け装置１が、印刷データに含まれる宛先情報に基づいてその印刷データを印刷装置２へ送信し、印刷装置２が、その印刷データに基づく郵便物を印刷する。そして、配送業者選定装置３が、配送料金情報が表す値が一番低い配送業者の情報を選定する。【選択図】　図１
2004094497.tif 000002
【特許請求の範囲】
【請求項１】
各宛先情報に対応する印刷工場識別情報を記憶する印刷工場識別情報記憶手段と、
印刷データに含まれる宛先情報に基づいて、その宛先情報に対応する印刷工場識別情報を前記印刷工場識別情報記憶手段より読み取る印刷工場選定手段と、
前記印刷データを前記印刷工場選定手段が読み取った印刷工場識別情報の印刷工場へ送信する送信手段と、
を備えることを特徴とする振り分け装置。
【請求項２】
配送業者毎に郵便物種別情報と、宛先情報との組合せ毎の配送料金情報を記憶する料金記憶手段と、
郵便物種別情報と宛先情報に基づいて、前記郵便物の配送料金情報を前記料金記憶手段から読み取り、その配送料金が一番低い前記配送業者を選定する配送業者選定手段と、
を備えることを特徴とする配送業者選定装置。
【請求項３】
配送業者毎に郵便物種別情報と、距離情報との組合せ毎の配送料金情報を記憶する料金記憶手段と、
郵便物種別情報と宛先情報に基づいて決定する距離情報とに基づいて、前記料金記憶手段で記憶する配送料金情報を読み取り、その配送料金が一番低い前記配送業者を選定する配送業者選定手段と、
を備えることを特徴とする配送業者選定装置。
【請求項４】
振り分け装置と印刷装置と配送業者選定装置とを有する郵便物配送システムであって、
前記振り分け装置は、
各宛先情報に対応する印刷工場識別情報を記憶する印刷工場識別情報記憶手段と、
印刷データに含まれる宛先情報に基づいて、その宛先情報に対応する印刷工場識別情報を前記印刷工場識別情報記憶手段より読み取る印刷工場選定手段と、
前記印刷データを前記印刷工場選定手段が読み取った印刷工場識別情報の印刷工場へ送信する送信手段とを備え、
前記印刷装置は、
前記印刷データを受信してその印刷データに基づく郵便物を印刷する印刷手段を備え、
前記配送業者選定装置は、
配送業者毎に郵便物種別情報と、宛先情報との組合せ毎の配送料金情報を記憶する料金記憶手段と、
受信する郵便物種別情報と宛先情報に基づいて、前記郵便物の配送料金情報を前記料金記憶手段から読み取り、その配送料金が一番低い前記配送業者を選定する配送業者選定手段と、
を備えることを特徴とする郵便物配送システム。
【請求項５】
振り分け装置と印刷装置と配送業者選定装置とを有する郵便物配送システムであって、
前記振り分け装置は、
各宛先情報に対応する印刷工場識別情報を記憶する印刷工場識別情報記憶手段と、
印刷データに含まれる宛先情報に基づいて、その宛先情報に対応する印刷工場識別情報を前記印刷工場識別情報記憶手段より読み取る印刷工場選定手段と、
前記印刷データを前記印刷工場選定手段が読み取った印刷工場識別情報の印刷工場へ送信する送信手段とを備え、
前記印刷装置は、
前記印刷データを受信してその印刷データに基づく郵便物を印刷する印刷手段を備え、
前記配送業者選定装置は、
配送業者毎に郵便物種別情報と、距離情報との組合せ毎の配送料金情報を記憶する料金記憶手段と、
郵便物種別情報と宛先情報に基づいて決定する距離情報とに基づいて、前記料金記憶手段で記憶する配送料金情報を読み取り、その配送料金が一番低い前記配送業者を選定する配送業者選定手段と、
を備えることを特徴とする郵便物配送システム。
【請求項６】
各宛先情報に対応する印刷工場識別情報を記憶する印刷工場識別情報記憶手段とを備えた振り分け装置における振り分け方法であって、
印刷データに含まれる宛先情報に基づいて、その宛先情報に対応する印刷工場識別情報を前記印刷工場識別情報記憶手段より読み取る印刷工場選定過程と、
前記印刷データを前記印刷工場選定手段が読み取った印刷工場識別情報の印刷工場へ送信する送信過程と、
を備えることを特徴とする振り分け方法。
【請求項７】
配送業者毎に郵便物種別情報と、宛先情報との組合せ毎の配送料金情報を記憶する料金記憶手段を備えた配送業者選定装置における配送業者選定方法であって、
郵便物種別情報と宛先情報に基づいて、前記郵便物の配送料金情報を前記料金記憶手段から読み取り、その配送料金が一番低い前記配送業者を選定する配送業者選定過程
を備えることを特徴とする配送業者選定方法。
【請求項８】
配送業者毎に郵便物種別情報と、距離情報との組合せ毎の配送料金情報を記憶する料金記憶手段を備えた配送業者選定装置における配送業者選定方法であって、
郵便物種別情報と宛先情報に基づいて決定する距離情報とに基づいて、前記料金記憶手段で記憶する配送料金情報を読み取り、その配送料金が一番低い前記配送業者を選定する配送業者選定過程
を備えることを特徴とする配送業者選定方法。
【発明の詳細な説明】
【０００１】
【発明の属する技術分野】
この発明は、コンピュータシステムに係り、特に、振り分け装置、配送業者選定装置、郵便物配送システムに関するものである。
【０００２】
【従来の技術】
従来、葉書や封書などの郵便物は、郵便物差出人によりポストに投函されるか、直接郵便局へ持参される。そして、その郵便物を郵便局員が回収している。また、郵便局では回収した郵便物に記された郵便番号により、配送先地域の郵便局を特定し、郵便物をその配送先地域の郵便局へ配送する。さらに配送先地域の郵便局の局員が葉書や封書などに記された住所に郵便物を配送する。
【０００３】
【発明が解決しようとする課題】
現在、葉書や封書などの郵便物の配送料金は、その種別に応じて全国一律の料金となっている。しかし、今後は複数業者の郵便事業への参入の可能性がある。また、郵便料金の自由化が行われ、業者毎の配送料金の料金設定が異なるようになることが予想される。そして、配送料金は、郵便物の配送距離に応じた配送料金の設定が行われることが考えられる。
また上述の従来の郵便物の回収や、振り分け作業や、配送などは、多くの作業が人手により処理されるので、郵便物の配送に多くの時間がかかってしまう。
そこでこの発明は、このような郵便物の配送料金における料金体系の自由化に対応して、安い配送料金により郵便物を届けることができ、また、郵便物の配送時間を短縮することのできる振り分け装置、配送業者選定装置、郵便物配送システムを提供することを目的としている。
【０００４】
【課題を解決するための手段】
本発明は、上述の課題を解決すべくなされたもので、請求項１に記載の発明は、各宛先情報に対応する印刷工場識別情報を記憶する印刷工場識別情報記憶手段と、印刷データに含まれる宛先情報に基づいて、その宛先情報に対応する印刷工場識別情報を前記印刷工場識別情報記憶手段より読み取る印刷工場選定手段と、前記印刷データを前記印刷工場選定手段が読み取った印刷工場識別情報の印刷工場へ送信する送信手段とを備えることを特徴とする振り分け装置である。
【０００５】
上述の構成によれば、印刷工場識別情報記憶手段が、各宛先情報に対応する印刷工場識別情報を記憶し、印刷工場選定手段が、印刷データに含まれる宛先情報に基づいて、その宛先情報に対応する印刷工場識別情報を前記印刷工場識別情報記憶手段より読み取る。また、送信手段が、印刷データを印刷工場選定手段が読み取った印刷工場識別情報の印刷工場へ送信する。
これにより、郵便物差出人は印刷データを振り分け装置に送信すれば、郵便物の宛先情報に最寄りの印刷工場へ印刷データを送信することができる。そしてまた、最寄の印刷工場で印刷データを元に郵便物が印刷されるので、配送距離が短くなり、低い料金で郵便物の配送ができる。また宛先情報の住所に近い印刷工場まで印刷データが送信されるので、短時間で配送を行なうことができる。
【０００６】
また請求項２に記載の発明は、配送業者毎に郵便物種別情報と、宛先情報との組合せ毎の配送料金情報を記憶する料金記憶手段と、郵便物種別情報と宛先情報に基づいて、前記郵便物の配送料金情報を前記料金記憶手段から読み取り、その配送料金が一番低い前記配送業者を選定する配送業者選定手段とを備えることを特徴とする配送業者選定装置である。
【０００７】
また請求項３に記載の発明は、配送業者毎に郵便物種別情報と、距離情報との組合せ毎の配送料金情報を記憶する料金記憶手段と、郵便物種別情報と宛先情報に基づいて決定する距離情報とに基づいて、前記料金記憶手段で記憶する配送料金情報を読み取り、その配送料金が一番低い前記配送業者を選定する配送業者選定手段とを備えることを特徴とする配送業者選定装置である。
【０００８】
また請求項４に記載の発明は、振り分け装置と印刷装置と配送業者選定装置とを有する郵便物配送システムであって、前記振り分け装置は、各宛先情報に対応する印刷工場識別情報を記憶する印刷工場識別情報記憶手段と、印刷データに含まれる宛先情報に基づいて、その宛先情報に対応する印刷工場識別情報を前記印刷工場識別情報記憶手段より読み取る印刷工場選定手段と、前記印刷データを前記印刷工場選定手段が読み取った印刷工場識別情報の印刷工場へ送信する送信手段とを備え、前記印刷装置は、前記印刷データを受信してその印刷データに基づく郵便物を印刷する印刷手段を備え、前記配送業者選定装置は、配送業者毎に郵便物種別情報と、宛先情報との組合せ毎の配送料金情報を記憶する料金記憶手段と、受信する郵便物種別情報と宛先情報に基づいて、前記郵便物の配送料金情報を前記料金記憶手段から読み取り、その配送料金が一番低い前記配送業者を選定する配送業者選定手段とを備えることを特徴とする郵便物配送システムである。
【０００９】
また請求項５に記載の発明は、振り分け装置と印刷装置と配送業者選定装置とを有する郵便物配送システムであって、前記振り分け装置は、各宛先情報に対応する印刷工場識別情報を記憶する印刷工場識別情報記憶手段と、印刷データに含まれる宛先情報に基づいて、その宛先情報に対応する印刷工場識別情報を前記印刷工場識別情報記憶手段より読み取る印刷工場選定手段と、前記印刷データを前記印刷工場選定手段が読み取った印刷工場識別情報の印刷工場へ送信する送信手段とを備え、前記印刷装置は、前記印刷データを受信してその印刷データに基づく郵便物を印刷する印刷手段を備え、前記配送業者選定装置は、配送業者毎に郵便物種別情報と、距離情報との組合せ毎の配送料金情報を記憶する料金記憶手段と、郵便物種別情報と宛先情報に基づいて決定する距離情報とに基づいて、前記料金記憶手段で記憶する配送料金情報を読み取り、その配送料金が一番低い前記配送業者を選定する配送業者選定手段とを備えることを特徴とする郵便物配送システムである。
【００１０】
また請求項６に記載の発明は、各宛先情報に対応する印刷工場識別情報を記憶する印刷工場識別情報記憶手段とを備えた振り分け装置における振り分け方法であって、印刷データに含まれる宛先情報に基づいて、その宛先情報に対応する印刷工場識別情報を前記印刷工場識別情報記憶手段より読み取る印刷工場選定過程と、前記印刷データを前記印刷工場選定手段が読み取った印刷工場識別情報の印刷工場へ送信する送信過程とを備えることを特徴とする振り分け方法である。
【００１１】
また請求項７に記載の発明は、配送業者毎に郵便物種別情報と、宛先情報との組合せ毎の配送料金情報を記憶する料金記憶手段を備えた配送業者選定装置における配送業者選定方法であって、郵便物種別情報と宛先情報に基づいて、前記郵便物の配送料金情報を前記料金記憶手段から読み取り、その配送料金が一番低い前記配送業者を選定する配送業者選定過程を備えることを特徴とする配送業者選定方法である。
【００１２】
また請求項８に記載の発明は、配送業者毎に郵便物種別情報と、距離情報との組合せ毎の配送料金情報を記憶する料金記憶手段を備えた配送業者選定装置における配送業者選定方法であって、郵便物種別情報と宛先情報に基づいて決定する距離情報とに基づいて、前記料金記憶手段で記憶する配送料金情報を読み取り、その配送料金が一番低い前記配送業者を選定する配送業者選定過程を備えることを特徴とする配送業者選定方法である。
【００１３】
【発明の実施の形態】
以下、本発明の一実施形態による郵便物配送システムを図面を参照して説明する。
図１は、この発明の一実施形態による郵便物配送システムの構成を示す概略ブロック図である。この図において符号１は、郵便番号に基づいて印刷データを配送先地域毎の印刷工場に振り分ける振り分け装置である。２は印刷データを元に郵便物を印刷する印刷装置である。３は郵便物を配送する配送業者を選定する配送業者選定装置である。４は郵便物を配送する配送業者である。５は郵便物の配送先である。６は郵便物差出人である。７は印刷データによる郵便物の配送依頼を郵便物差出人より受付ける郵便物受付窓口である。
【００１４】
そして、振り分け装置１において符号１１は印刷データを送受信する送受信部である。１２は印刷データを印刷工場別に振り分ける処理を行なう振り分け部（印刷工場選定手段）である。１３は郵便番号と印刷工場の識別番号（印刷工場識別情報）とを対応付けた印刷工場選定用テーブルを記憶する印刷工場データベース（印刷工場識別情報記憶手段）である。また、印刷装置２において２１は印刷データの送受信を行なう送受信部（送信手段）である。２２は印刷データを印刷処理する印刷部（印刷手段）である。
また配送業者選定装置３において３１は郵便物毎に配送業者を選定する配送業者選定部である。３２は配送業者の識別番号毎（郵便物配送業者識別情報）に郵便物種別（郵便物種別情報）と、郵便物の郵便番号または郵便物の配送距離（配送距離情報）とによって決まる配送料金（配送料金情報）を対応付けて保持する配送業者選定用テーブルを記憶した配送業者選定用データベース（料金記憶手段）である。
【００１５】
また、６１は郵便物差出人６が所持している端末であり、例えばインターネットなどの通信ネットワークを介して振り分け装置１と接続されている。そして振り分け装置１の送受信部１１は、郵便物差出人６の端末６１からの印刷データの送信を受付ける。
また、７１は郵便物受付窓口７の端末であり、例えば専用線などの通信ネットワークを介して振り分け装置１と接続されている。
【００１６】
尚、図１に示した郵便物配送システムにおける振り分け装置１、印刷装置２、配送業者選定装置３における各処理部は、専用のハードウェアにより実現されるものであってもよく、また、各処理部はメモリおよびＣＰＵ（中央演算装置）により構成され、各処理部の機能を実現する為のプログラムをメモリにロードして実行することによりその機能を実現させるものであってもよい。
また、上記メモリは、ハードディスク装置や光磁気ディスク装置、フラッシュメモリ等の不揮発性のメモリや、ＣＤ−ＲＯＭ等の読み出しのみが可能な記録媒体、ＲＡＭ（Ｒａｎｄｏｍ　Ａｃｃｅｓｓ　Ｍｅｍｏｒｙ）のような揮発性のメモリ、あるいはこれらの組合せによるコンピュータ読み取り、書き込み可能な記録媒体より構成されるものとする。
【００１７】
また、印刷データとは、図２に示すように各郵便物の郵便物種別と、印刷内容と、宛先郵便番号と、宛先住所と、宛先氏名と、差出人郵便番号と、差出人住所と、差出人氏名で構成されるデータである。なお郵便物種別は「葉書」「封書Ａ」「封書Ｂ」などであり、封書は大きさや重さの違いにより種別が分かれている。
【００１８】
そして、郵便物差出人６が端末６１を用いてインターネットに接続し、振り分け装置１の送受信部１１に印刷データを送信する。そして、振り分け装置１において振り分け部１２が端末６１から受信した印刷データに含まれる郵便番号に基づいて送付先の印刷工場識別情報を選定し、その印刷工場識別情報を用いて印刷データを転送する。また、印刷工場においては、印刷データを送受信部２２が受信し、印刷部２２で印刷データを用いて郵便物を印刷する。そして配送業者選定装置３の配送業者選定部３１において、印刷部２２で印刷した郵便物を、郵便物種別と、配送距離や郵便番号に基づいて、最も配送料金の低い配送業者４を選定する。
【００１９】
また、図３は印刷工場データベース１３で記憶する郵便番号と印刷工場の識別番号とを対応付けた印刷工場選定用テーブルの構造およびデータ列を示す図である。また、図４は、配送業者選定用データベース３２で記憶する、配送業者と郵便物種別と宛先郵便番号との組合せ毎に配送料金が設定された配送業者選定用テーブルの構造およびデータ列を示す図である。また、図５は、配送業者選定用データベース３２で記憶する、配送業者と郵便物種別と配送距離との組合せ毎に配送料金が設定された配送業者選定用テーブルの構造およびデータ列を示す図である。
【００２０】
次に上述した郵便物配送システムの動作を図６を参照しながら詳細に説明する。図６は郵便物配送システムの動作を示す図である。
まず、郵便物差出人６は、端末６１よりインターネット経由で印刷データを印刷装置２へ送信する（ステップＳ１ａ）。次に振り分け装置１の送受信部１１が印刷データを受信し、振り分け部１２に転送する。次に、振り分け装置１の振り分け部１２は、印刷データに含まれる宛先郵便番号に対応づけられて印刷工場データベース１３で記憶する印刷工場を選出する（ステップＳ２）。そして振り分け装置１の振り分け部１２は、ステップＳ１ａで受信した印刷データをその印刷工場へ送信する印刷データとして保持する。そして、振り分け装置１の振り分け部１２は、ある一定時間毎に保持した印刷データを各印刷工場へ配信処理する。この時、振り分け装置１は、印刷データを「宛先住所」と「宛先氏名」の組合せ毎に並べ替える。そして振り分け装置１の送受信部１１が、「宛先住所」と「宛先氏名」の組合せ毎に各印刷工場へ印刷データを配信する（ステップＳ３）。
【００２１】
次に、印刷装置２の送受信部２１は印刷データを受信して、正常に印刷データの受信を完了すると振り分け装置１へ受信確認データを送信する（ステップＳ４）。そして、送受信部２１は印刷部２２へ印刷データを転送し（ステップＳ５）、印刷部２２が印刷データを用いて郵便物を印刷する（ステップＳ６）。尚、郵便物を印刷した際に、印刷部２２は郵便物の重さを計測する。次に、印刷部２２は各「宛先住所」と「宛先氏名」の組合せにおいて印刷を行なった郵便物の宛先郵便番号と、宛先住所と、郵便物種別と、その郵便物の重さを計測した数値を配送業者選定装置３に送信する（ステップＳ７）。
【００２２】
次に、配送業者選定装置３の配送業者選定部３１は、図４の配送業者選定用テーブルにより配送料金が郵便物の郵便番号と郵便物種別によって決まる場合には、印刷部２２から受信した「宛先住所」と「宛先氏名」の組合せにおける郵便番号と郵便物種別とその郵便物の重さに基づいて、その郵便物の配送料金を配送業者選定用データベース３２から読み取る。そして、作成した郵便物の枚数分の配送料金を計算し、一番配送コストの安い配送業者４を、その郵便物を配送する配送業者として選定する（ステップＳ８）。
【００２３】
尚、図５の配送業者選定用テーブルにより郵便料金が郵便物種別とその郵便物の重さと、宛先の郵便番号までの配送距離によって決まる場合には、配送業者選定装置３は、印刷部２２から受信した郵便物の郵便番号に基づいて、郵便物配送元から郵便番号で表されている地域の距離を図示しない別のデータベースなどから読み取り、その距離を配送距離とする。そして、配送業者選定装置３は読み取った配送距離と、郵便物種別とその郵便物の重さに基づいて、配送料金を配送業者選定用データベース３２から読み取る。そして、作成した郵便物の枚数分の配送料金を計算し、一番配送コストの安い配送業者４を、その郵便物を配送する配送業者として選定する。
【００２４】
または、図５の配送業者選定用テーブルにより郵便料金が郵便物種別とその郵便物の重さと、宛先住所までの配送距離によって決まる他の例としては、配送業者選定装置３が、印刷部２２から宛先住所を受信し、郵便物配送元の緯度および経度と、宛先住所の緯度および経度から郵便物配送元（印刷工場）から郵便物の配送先５までの直線の配送距離を算出する。そして、配送業者選定装置３は算出した配送距離と、郵便物種別とその郵便物の重さに基づいて、配送料金を配送業者選定用データベース３２から読み取る。そして、作成した郵便物の枚数分の配送料金を計算し、一番配送コストの安い配送業者４を、その郵便物を配送する配送業者として選定する。
そして、その配送業者４により、郵便物が配送先５に配送される。
【００２５】
次に、郵便物差出人６が端末６１を持っていない場合の郵便物の配送方法について説明する。この場合、郵便物の配送を受付ける郵便物受付窓口において郵便物差出人６からの郵便物の配送依頼を受付ける（ステップＳ１ｂ１）。そして、印刷データの作成を郵便物受付窓口７の担当者が印刷データの作成を行い（ステップＳ１ｂ２）、端末７１を用いて印刷データを振り分け装置１に送信する（ステップＳ１ｂ３）。そして、この後は上述のステップＳ２〜ステップＳ８と同様の処理を経て郵便物が配送先５に配送される。
【００２６】
【発明の効果】
以上説明したように、請求項１および請求項６に記載の発明によれば、印刷工場識別情報記憶手段が、各宛先情報に対応する印刷工場識別情報を記憶し、印刷工場選定手段が、印刷データに含まれる宛先情報に基づいて、その宛先情報に対応する印刷工場識別情報を前記印刷工場識別情報記憶手段より読み取る。また、送信手段が、印刷データを印刷工場選定手段が読み取った印刷工場識別情報の印刷工場へ送信する。
これにより、郵便物差出人は印刷データを振り分け装置に送信すれば、郵便物の宛先情報に最寄りの印刷工場へ印刷データを送信することができる。そしてまた、最寄の印刷工場で印刷データを元に郵便物が印刷されるので、配送距離が短くなり、低い料金で郵便物の配送ができる。また宛先情報の住所に近い印刷工場まで印刷データが送信されるので、短時間で配送を行なうことができる。
【００２７】
また請求項２および請求項７発明によれば、料金記憶手段が、配送業者毎に郵便物種別情報と、宛先情報との組合せ毎の配送料金情報を記憶し、配送業者選定手段が、郵便物種別情報と宛先情報に基づいて、前記郵便物の配送料金情報を前記料金記憶手段から読み取り、その配送料金が一番低い前記配送業者を選定する。これにより、宛先情報により決まる配送料金に基づいて、その配送料金の低い配送業者を選定し、郵便物を配送することができる。
【００２８】
また請求項３および請求項８に記載の発明によれば、料金記憶手段が、配送業者毎に郵便物種別情報と、距離情報との組合せ毎の配送料金情報を記憶し、配送業者選定手段が、郵便物種別情報と宛先情報に基づいて決定する距離情報とに基づいて、前記料金記憶手段で記憶する配送料金情報を読み取り、その配送料金が一番低い前記配送業者を選定する。これにより、郵便物を配送する距離情報により決まる配送料金に基づいて、その配送料金の低い配送業者を選定し、郵便物を配送することができる。
【００２９】
また請求項４および請求項５に記載の発明によれば、郵便物配送システムにおいて振り分け装置が、印刷データに含まれる宛先情報に基づいてその印刷データを各印刷工場へ送信し、印刷装置が、その印刷データに基づく郵便物を印刷する。そして、配送業者選定装置が、配送料金情報が表す値が一番低い前記配送業者識別情報を選定する。
これにより、郵便物差出人は印刷データを振り分け装置に送信すれば、郵便物の宛先情報に最寄りの印刷工場へ印刷データを送信することができる。そしてまた、最寄の印刷工場で印刷データを元に郵便物が印刷されるので、配送距離が短くなり、低い料金で郵便物の配送ができる。また宛先情報の住所に近い印刷工場まで印刷データが送信されるので、短時間で配送を行なうことができる。
【図面の簡単な説明】
【図１】この発明の一実施形態による郵便物配送システムの構成を示す概略ブロック図である。
【図２】印刷データの構成を示す図である。
【図３】郵便番号と印刷工場の識別番号とを対応付けた印刷工場選定用テーブルのイメージを示す図である。
【図４】配送業者と郵便物種別と宛先郵便番号の組合せ毎に配送料金が設定された配送業者選定用テーブルの構造およびデータ列を示す図である。
【図５】配送業者と郵便物種別と配送距離との組合せ毎に配送料金が設定された配送業者選定用テーブルの構造およびデータ列を示す図である。
【図６】郵便物配送システムの動作を示す図である。
【符号の説明】
１　振り分け装置
２　印刷装置
３　配送業者選定装置
４　配送業者
５　配送先
６　郵便物差出人
７　郵便物受付窓口
【図１】
2004094497.tif 000003
【図２】
2004094497.tif 000004
【図３】
2004094497.tif 000005
【図４】
2004094497.tif 000006
【図５】
2004094497.tif 000007
【図６】
2004094497.tif 000008